(57)【要約】      （修正有）【課題】その射撃動作が現実の銃の射撃動作により類似する電動式玩具銃の運動制御機構を提供する。【解決手段】ギアセット１、電動式玩具銃本体の内側にあり前記ギアセットによって駆動されるピストンセット２、前記ピストンセットとこの玩具銃の後端部との間にある１次再配置ばね７、およびこの銃本体に据え付けられ前記ピストンセットによって駆動されると後方へ移動する再配置セットを含む電動式玩具銃の運動制御機構からなる。前記再配置セットはピストンセットに固定され、ギアセットによって駆動されると後方へ移動し、１次再配置ばねの力によってそれ自体を再配置する。【選択図】図１
0003147056.tif 000002
【実用新案登録請求の範囲】
【請求項１】
ギアセット、電動式玩具銃本体の内側にあり前記ギアセットによって駆動されるピストンセット、前記ピストンセットと前記玩具銃の後端部との間にある１次再配置ばね、および銃本体に据え付けられ前記ピストンセットによって駆動されると後方へ移動する再配置セットを含むことを特徴とする電動式玩具銃の運動制御機構。
【請求項２】
前記再配置セットが再配置ロッドおよびガンボルトを含み、前記再配置ロッドおよび前記ガンボルトは互いに固定され、
前記再配置ロッドの一方の端部は下方に延在し前記ピストンセットの背後に配置され、前記ピストンセットの最上部よりも前記銃本体の中心軸に接近しており、
前記再配置ロッドの他方の端部は前記ガンボルトに固定されることを特徴とする請求項１に記載の電動式玩具銃の運動制御機構。
【請求項３】
前記再配置セットが２次再配置ばねを含み、
前記２次再配置ばねは前記再配置ロッドと銃本体のチャンバの前壁との間に配置され、前記再配置ロッドおよび前記ガンボルトを原位置まで引き戻すことを特徴とする請求項２に記載の電動式玩具銃の運動制御機構。
【請求項４】
前記ガンボルトが前記チャンバの最高部に配置され、
前記再配置ロッドは前記チャンバの最高部に据え付けられ、前記再配置ロッドの端部は前記ガンボルトの中に延在し、前記ガンボルトに固定されることを特徴とする請求項３に記載の電動式玩具銃の運動制御機構。
【請求項５】
前記チャンバの後方上端部にグライディング・スロット・セットを含み、
前記再配置ロッドは前記グライディング・スロット・セットおよび前記チャンバの中心軸と平行であり外側に延在する少なくとも一対のバルジを有し、
前記グライディング・スロット・セットは前記バルジに適合し、前記再配置ロッドがグライディング・スロットに沿って滑るように進むことを可能にするグライディング・スロットを有することを特徴とする請求項４に記載の電動式玩具銃の運動制御機構。
【請求項６】
前記再配置ロッドが、前記チャンバの中心軸からの距離に基づいて称される第１のバルジおよび第２のバルジとからなる２つの対のバルジを有し、
前記グライディング・スロット・セットは前記第１のバルジおよび前記第２のバルジに適合する２つのグライディング・スロットを有し、
前記第１のバルジは前記第２のバルジよりも前記チャンバの中心軸からさらに離れており、より幅広でもあることを特徴とする請求項５に記載の電動式玩具銃の運動制御機構。
【請求項７】
前記再配置ロッドの端部に位置決め孔があり、
前記ガンボルトの上方面に前記再配置ロッドの位置決め孔に適合する他の位置決め孔があり、
ねじが、前記再配置ロッドおよび前記ガンボルトを互いに固定するように前記再配置ロッドおよび前記ガンボルトのこれらの２つの位置決め孔を通過して、前記再配置ロッドが前記ガンボルトに取り付けられていることを特徴とする請求項６に記載の電動式玩具銃の運動制御機構。。
【請求項８】
前記２次再配置ばねの一方の端部が前記再配置ロッドの１つの端部に固定され、前記２次再配置ばねの他方の端部が前記チャンバの内部前壁に固定されることを特徴とする請求項７に記載の電動式玩具銃の運動制御機構。
【請求項９】
前記チャンバの後端部に少なくとも１つの空気抜き孔があり、前記チャンバの後部の空気が外気と直接接触していることを特徴とする請求項１から８のいずれか１項に記載の電動式玩具銃の運動制御機構。
【請求項１０】
前記空気抜き孔が前記チャンバの中心軸に垂直であり、前記チャンバを横切っていることを特徴とする請求項９に記載の電動式玩具銃の運動制御機構。
【考案の詳細な説明】
【技術分野】
【０００１】
本考案は、玩具銃に関する。詳細には、電動式玩具銃の運動制御機構に関する。
【背景技術】
【０００２】
電動式玩具銃は近年人気のある玩具であり、屋外のウォー・ゲームおよび軍事訓練に広く使用されている。それは現実の銃に類似する外観を有する。電動式玩具銃の機構は、電動式玩具銃が引き金を引かれると、電池から動力が供給されるそのギアセットが後方のガン・チャンバ（ｇｕｎ  ｃｈａｍｂｅｒ）の内側でピストンセットを駆動し、上記チャンバの後壁とピストンセットとの間でばねを押圧する。前記ギアセットがある位置まで回転すると、前記ピストンセットは解放される。次いで、上記ばねが前方にピストンセットを押し、その結果加圧空気が銃身を通して飛び出すＢＢ弾を押し進める。このようにしてあるショットが発射され、銃は別のショットに備える。現在の電動式玩具銃の動作工程では、すべての部品が電動式玩具銃の内側に隠されているのでユーザはその運動制御機構の動きを見ることができない。すなわち電動式玩具銃の射撃動作は現実の銃の射撃動作と異なる。したがって電動式玩具銃の類似性は限定されており、これにより軍事訓練などのある分野においてその使用が減少される。
【考案の開示】
【考案が解決しようとする課題】
【０００３】
本考案は次の技術的な難題を解決しなければならない。すなわち、電動式玩具銃の射撃動作は現実の銃の射撃動作と異なる。したがって電動式玩具銃の類似性は限定されており、これにより軍事訓練などのある分野においてその使用が減少される。本考案は、その射撃動作が現実の銃の射撃動作により類似する電動式玩具銃の運動制御機構を提供しなければならない。
【課題を解決するための手段】
【０００４】
本考案の技術的な解決策は、ギアセット、電動式玩具銃本体の内側にあり前記ギアセットによって駆動されるピストンセット、前記ピストンセットと玩具銃の後端部との間にある１次再配置ばね、および銃本体に据え付けられ前記ピストンセットによって駆動されると後方へ移動する再配置セットを含む、電動式玩具銃の運動制御機構を提供することである。
【０００５】
本考案によって提供される電動式玩具銃の運動制御機構では、前記再配置セットは再配置ロッドおよびガンボルト（ｇｕｎ  ｂｏｌｔ）を含む。前記再配置ロッドおよびガンボルトは互いに固定される。前記再配置ロッドの一方の端部は下方に延在する。この延在は前記ピストンセットの背後に配置され、前記ピストンセットの最上部よりも銃本体の中心軸に接近している。前記再配置ロッドの他方の端部はガンボルトに固定される。
【０００６】
本考案によって提供される電動式玩具銃の運動制御機構では、前記再配置セットは２次再配置ばねを含む。前記２次再配置ばねは前記再配置ロッドと前記銃本体のチャンバの前壁との間に配置される。それは前記再配置ロッドおよびガンボルトを原位置まで引き戻す。
【０００７】
本考案によって提供される電動式玩具銃の運動制御機構では、前記ガンボルトは本体チャンバの最高部に配置される。前記再配置ロッドは上記チャンバの最高部に据え付けられる。前記ガンボルトに取り付けられる再配置ロッドの端部は前記ガンボルトの中に延在し、前記ガンボルトに固定される。
【０００８】
本考案によって提供される電動式玩具銃の運動制御機構は、本体チャンバの後方上端部にグライディング・スロット・セット（ｇｌｉｄｉｎｇ  ｓｌｏｔ  ｓｅｔ）を含む。前記再配置ロッドは前記グライディング・スロット・セット、および上記チャンバの中心軸と平行であり、外側に延在する少なくとも一対のバルジ（ｂｕｌｇｅ）を有する。前記グライディング・スロット・セットは前記バルジに適合し、前記再配置ロッドがグライディング・スロットに沿って滑るように進むことを可能にするグライディング・スロットを有する。
【０００９】
本考案によって提供される電動式玩具銃の運動制御機構では、前記再配置ロッドは２つの対のバルジを有する。これらの２つの対のバルジは、上記チャンバの中心軸からの距離に基づいて第１のバルジおよび第２のバルジと呼ばれる。前記グライディング・スロット・セットは前記第１のバルジおよび第２のバルジに適合する２つのグライディング・スロットを有する。第１のバルジは第２のバルジよりも上記チャンバの中心軸からさらに離れており、またそれはより幅広でもある。
【００１０】
本考案によって提供される電動式玩具銃の運動制御機構では、前記再配置ロッドの端部に位置決め孔があり、それは前記ガンボルトに取り付けられる。前記ガンボルトの上方面に他の位置決め孔があり、それは前記再配置ロッドの位置決め孔に適合する。ねじが、前記再配置ロッドおよび前記ガンボルトを互いに固定するように前記再配置ロッドおよび前記ガンボルトのこれらの２つの位置決め孔を通過する。
【００１１】
本考案によって提供される電動式玩具銃の運動制御機構では、前記２次再配置ばねの一方の端部は再配置ロッドの１つの端部に固定され、前記２次再配置ばねの他方の端部は前記チャンバの内部前壁に固定される。
【００１２】
本考案によって提供される電動式玩具銃の運動制御機構では、上記チャンバの後端部に少なくとも１つの空気抜き孔がある。したがって、上記チャンバの後部の空気は外気と直接接触している。
【００１３】
本考案によって提供される電動式玩具銃の運動制御機構では、前記空気抜き孔は上記チャンバの中心軸に垂直であり、上記チャンバを完全に横切っている。
【００１４】
本考案によって提供される電動式玩具銃の運動制御機構は次の利益を有する。すなわち、それは再配置セットおよび空気抜き孔を有するので現実の銃の動作により類似する。したがってそれは軍事訓練用により適しており、より長く持ちこたえる。
【考案を実施するための最良の形態】
【００１５】
本考案は以下の説明および添付の図面を参照することにより、より完全に理解することができる。
【００１６】
図１に示すように、本考案によって提供される電動式玩具銃の運動制御機構は、ギアセット１、ピストンセット２、再配置ロッド３、ガンボルト４、グライディング・セット８、１次再配置ばね７、２次再配置ばね５、および空気抜き孔６を含む。前記再配置ロッド３、ガンボルト４、および再配置ばね５は再配置セットを形成するように互いに固定される。再配置セットは電動式玩具銃のチャンバの上部に据え付けられる。そしてガンボルト４はチャンバの外側に配置され、したがって電動式銃の外側から見ることができる。グライディング・セット８は前記チャンバの上部後方にある。その上に２つのセットのグライディング・スロットがある。したがって、前記再配置ロッド３の前記２つの対のバルジはこれらのグライディング・スロットに嵌合する。ギアセット１およびピストンセット２は前記チャンバの内側に配置され、電動式銃の外側から見ることができない。電動式銃が発射されると、その電池（図に示されていない）はモータ（図に示されていない）を駆動して回転させ、それにより前記ギアセットを駆動して回転させる。ギアの縁のうちの１つの一部にギア歯があり、ピストンセット２の下縁に整合歯があるので、ギアが反時計方向に回転するとその歯はピストンセット２の歯に噛み合い、ピストンセット２を後方に駆動し、前記１次再配置ばね７を押圧する。ピストンセット２がチャンバの端部まで移動すると（図１に示すように）、ギアの最後の歯がピストンセット２の最後の歯に噛み合う。この時、ピストンセット２はチャンバの端部まで移動している。そして１次再配置ばね７は最大位置に押圧される。ギアセット１がさらに反時計方向に回転すると、前記ピストンセット２の歯に噛み合う前記ギアの歯はない。したがって前記ピストンセット２は解放される。１次再配置ばね７は前記ピストンセット２を前方に押し、したがって前記ピストンセット２が出発位置の方へ前方に移動し続け、１次再配置ばね７によって押し進められる間に、高圧縮空気が銃身を通してＢＢ弾を追い出すことになる。
【００１７】
前記再配置ロッド３、ガンボルト４、および再配置ばね５は、再配置セットを形成するように互いに固定される。図２、図３、および図４が示すように、再配置ロッド３はロッド延長部３１の方へ下方に延在する。位置決め孔３２および位置決め孔３３が再配置ロッド３の上段部分の最高部に配置される。図５および図６が示すように、ガンボルト４は位置決め孔４１および位置決め孔４３を有する。２次再配置ばね５の一方の端部は再配置ロッド３に固定され、他方の端部は図１に示すようにチャンバの前壁の最高部に固定される。それは外力を受けて延在する。外力がなくなると、それは原位置まで縮む。再配置ロッド３の上方部分は前記ガンボルト４の中に延在する。この端部に配置される位置決め孔３２および位置決め孔３３はガンボルトの位置決め孔４１および位置決め孔４３と合致する。それらはねじを用いて固定される。したがって前記再配置ロッド３、ガンボルト４、および再配置ばね５は再配置セットを形成するように互いに固定される。
【００１８】
同時に、前記再配置ロッド３はグライディング・スロット・セット８のグライディング・スロットの中に埋め込まれることによってチャンバに連結され、この再配置ロッド３はチャンバの最高部に据え付けられる。前記再配置ロッド３は２つの対のバルジを有し、これらのバルジ（すなわち、図４における第１のバルジ３８および第２のバルジ３７）はチャンバの前記中心軸から異なる距離を有する。前記グライディング・セットは前記第１のバルジ３８および第２のバルジ３７に対応するグライディング・スロットを含む。第１のバルジ３７は第２のバルジ３７よりもチャンバの前記中心軸からさらに離れており、またより幅広でもある。ガンボルト４はチャンバの上部前側の外表面に据え付けられる。前記再配置セットを据え付けるときに、再配置ロッド３の下向きの延長部３１はピストンセット２の出発点の背後に配置され、すなわち、それは前記ピストンセット２よりもチャンバの後端部により接近しており、前記ピストンセット２の最も高い点よりもチャンバの前記中心軸により接近している。したがって、ギアセット１がピストンセット２を押し進めて後方に移動させると、ピストンセット２の後端部は再配置ロッド３の下向きの延長部３１を押して後方に移動させる。再配置ロッド３、ガンボルト４、および２次再配置ばね５は互いに固定されるので、前記再配置ロッド３はガンボルト４を後方に押し進め、２次再配置ばね５を引き伸ばす。同様に、ギアセット１がピストンセット２を解放すると、１次再配置ばね７はピストンセット２を前方に押し、２次再配置ばね５はその弾性力を受けて縮み、ガンボルト４を案内し、再配置ロッド３は前方に滑るように進む。
【００１９】
随意の実装形態では、前記再配置ロッドの前記バルジおよび前記グライディング・スロット・セットのグライディング・スロットは交換可能であり、すなわち、グライディング・スロットは再配置ロッドに据え付けることができ、次に対応するバルジはグライディング・スロット・セットの整合領域に配置されることになる。
【００２０】
前記ピストンセット２がチャンバの内側で前後に移動する場合にはチャンバの後部に空気を追い出し、かつ／またはチャンバの後部に空気を吸い込むことが必要であり、その結果、空気圧が平衡する。したがって円滑な動作を確保するように抵抗を低減することができ、このように異なる部品の損耗を低減する。外部にチャンバの後部の空気を接続する空気通路なしに、または十分大きな空気通路なしに、前記ピストンセット２および再配置セットはチャンバ内で前後に依然として移動することができるが、空気抵抗は非常に大きい。その動作は円滑ではなく、部品のより重大な損耗を引き起こすことになる。したがってこの実装形態では、チャンバの後端部にいくつかの空気孔６がある。これらの空気孔６はチャンバの中心軸に垂直であり、チャンバの後部の空気を外部に接続するようにチャンバ全体を横切って延びる。ピストンセット２がチャンバ内で前後に移動すると、これらの空気孔はチャンバの後部の空気を外部に速やかに解放し、またはチャンバの後部に空気を速やかに吸い込む。このように、電動式玩具銃の本実装形態のピストンセット２および再配置セットは円滑な動作を有し、より長く持ちこたえる。
【図面の簡単な説明】
【００２１】
【図１】本考案によって提供される電動式玩具銃の運動制御機構のガン・チャンバの前記再配置セットの位置および構造を示す図である。
【図２】本考案によって提供される電動式玩具銃の運動制御機構のガン・チャンバの前記再配置ロッドの輪郭図である。
【図３】本考案によって提供される電動式玩具銃の運動制御機構のガン・チャンバの前記再配置ロッドの上面図である。
【図４】本考案によって提供される電動式玩具銃の運動制御機構のガン・チャンバの前記再配置ロッドの左図である。
【図５】本考案によって提供される電動式玩具銃の運動制御機構のガン・チャンバの前記ガンボルトの輪郭図である。
【図６】図５のその中心軸を横切る輪郭図である。
【符号の説明】
【００２２】
１  ギアセット
２  ピストンセット
３  再配置ロッド
４  ガンボルト
５  ２次再配置ばね
６  空気抜き孔
７  １次再配置ばね
８  グライディング・スロット・セット
３１  ロッド延長部
３２  位置決め孔
３３  位置決め孔
４１  位置決め孔
４３  位置決め孔
【図１】
0003147056.tif 000003
【図２】
0003147056.tif 000004
【図３】
0003147056.tif 000005
【図４】
0003147056.tif 000006
【図５】
0003147056.tif 000007
【図６】
0003147056.tif 000008